(57)【要約】【課題】  極めて簡単で廉価な構造を備え、簡単な操作により、ワインボトルに残っているワインの酸化を防止可能な酸化防止具を提案すること。【解決手段】  ワインの酸化防止具１は、円筒状の細長い可撓性素材からなる管２と、この管２の下端側の部位に気密状態で取り付けた可撓性素材からなる袋３とを備えている。ワイン１１の残っているボトル１２の口１３から、酸化防止具１を差し込み、袋３を完全にボトル１２内に入れる。次に、口１３から出ている管２の上端開口部から空気を吹き込みボトル内で袋３を膨らませ、袋３をワインの液面１１ａおよびボトル内周面１４に密着させる。ワインが実質的に空気から遮断された封止状態になる。最後に、管２の上端側の部分を挟みコルク栓をボトルの口に差し込む。管２が押し潰されて空気の流通が阻止され、内部の袋３が膨張状態に保持される。【選択図】  図２
2006036277.tif 000002
【特許請求の範囲】
【請求項１】
栓を抜いた後のボトル内に残っている液体の酸化などを防止する劣化防止具であって、
両端が開口している細長い筒状の管と、
前記管に取り付けた気密性の袋とを有し、
前記管は、一方の端から所定長さだけ前記袋に差し込まれており、
前記管は可撓性の素材から形成され、当該管を挟み前記栓をボトルの口に差し込むことにより、当該管が押し潰されて袋を気密状態に保持可能となっており、
前記袋は、前記管の他方の端から空気を送り込むことにより膨張可能な伸縮性あるいは可撓性の素材から形成されていることを特徴とする容器内に残っている液体の劣化防止具。
【請求項２】
請求項１に記載の劣化防止具の使用方法であって、
収縮あるいは萎められた状態の袋が取り付けられている前記管をボトルの口から内部に差し込み、袋をボトル内に完全に入れ、
この状態で、ボトルの口から出ている管の端から空気を吹き込み、袋を膨張させて、ボトル内周面に密着させ、
しかる後に、管を挟んだ状態で、ボトルの口に栓を差し込み、栓によって管を押し潰して、ボトル内の袋を膨張状態に保持することを特徴とする劣化防止具の使用方法。
【請求項３】
請求項２において、
ボトルの口に差し込まれている栓を引き抜き、
押し潰されていた管を空気が流通可能な状態に戻してボトルから引き抜くことにより、膨張状態の袋がボトル内周面によって押し潰されながら、管と一緒にボトルから引き抜かれることを特徴とする劣化防止具の使用方法。
【発明の詳細な説明】
【技術分野】
【０００１】
本発明は、ボトルに残っている液体の酸化、炭酸飲料などの液体に含まれる炭酸成分の放出などといった液体の劣化を防止するために用いる劣化防止具に関し、特に、ボトル内に残っているワインなどの発酵アルコール飲料の酸化を防止するために用いるのに適した劣化防止具およびその使用方法に関するものである。
【背景技術】
【０００２】
ボトル内に残ったワインなどの発酵アルコール飲料は、口が開いた状態のまま、あるいはコイル栓で口を封鎖した状態のまま保存すると、酸化が進行して劣化してしまう。このため、ボトル内の空気を抜いて口を密閉する器具を用いて、残った飲料を保存するようにしている。
【発明の開示】
【発明が解決しようとする課題】
【０００３】
本発明の課題は、極めて簡便な構造によりボトル内に残っている液体の酸化などを防止あるいは抑制可能な廉価な劣化防止具、およびその使用方法を提案することにある。
【課題を解決するための手段】
【０００４】
上記の課題を解決するために、本発明は、栓を抜いた後のボトル内に残っている液体の劣化を防止する劣化防止具であって、
両端が開口している細長い筒状の管と、
前記管に取り付けた気密性の袋とを有し、
前記管は、一方の端から所定長さだけ前記袋に差し込まれており、
前記管は可撓性の素材から形成され、当該管を挟み前記栓をボトルの口に差し込むことにより、当該管が押し潰されて袋を気密状態に保持可能となっており、
前記袋は、前記管の他方の端から空気を送り込むことにより膨張可能な伸縮性あるいは可撓性の素材から形成されていることを特徴としている。
【０００５】
この構造の劣化防止具を用いれば、簡単にボトルの口を封鎖して残っている液体の酸化などを防止あるいは抑制できる。まず、収縮あるいは萎められた状態の袋が取り付けられている管を、液体が残っているボトルの口から内部に差し込み、袋をボトル内に完全に入れる。次に、この状態で、ボトルの口から出ている管の端から空気を吹き込み、袋を膨張させて、ボトル内周面に密着させる。しかる後に、管を挟んだ状態で、ボトルの口に栓を差し込み、栓によって管を押し潰して、ボトル内の袋を膨張状態に保持すればよい。
【０００６】
袋をボトル内で膨張させると、膨らんだ袋は、ボトル内に残っている液体の表面およびボトル内周面に密着して、液体が気密状態になる。また、ボトル内の空気が膨らんだ袋によって外部に押し出される。この結果、ボトル内に残っている液体は空気から実質的に遮断された状態で気密封止される。管は、ボトルの口に差し込んだ栓によって押し潰され、空気の流通が阻止されるので、ボトル内において袋は膨らんだ状態に保持される。このように、ボトルの口から差し込み、空気を吹き込み、しかる後に栓をするという簡単な操作によって、ボトル内に残っている液体を空気から実質的に遮断して気密状態に保持できる。
【０００７】
次に、劣化防止具をボトルから外す場合においても極めて簡単な操作により行うことができる。この場合には、まず、ボトルの口に差し込まれている栓を引き抜く。次に、押し潰されていた管を空気が流通可能な状態に戻してボトルから引き抜く。この結果、ボトル内において膨張状態にある袋から管を通って空気を外部に排出可能になる。したがって、管を引き抜くと、それに伴って袋がボトル内周面によって押し潰されながら、管と一緒にボトルから引き抜かれる。よって、酸化防止具の取り外し操作も極めて簡単である。
【発明の効果】
【０００８】
以上説明したように、本発明の劣化防止具は、極めて簡単な構造であるので廉価に製造でき、しかも、ボトルに残っている液体を実質的に空気に触れない状態で保存できる。また、劣化防止具をボトルに取り付ける作業および、ボトルから取り外す作業も極めて簡単であるという利点がある。
【発明を実施するための最良の形態】
【０００９】
以下に、図面を参照して、本発明を適用したワインの酸化防止具の実施例を説明する。
【００１０】
図１（ａ）は本例の酸化防止具を示す説明図であり、図１（ｂ）は袋を膨らませた状態を示す説明図である。これらの図に示すように、酸化防止具１は、両端が開口している細長い円筒状の管２と、この管２の下端側の部分に取り付けた袋３とを有している。管２はプラスチックなどの可撓性の素材からなり、押し潰して空気の流通を阻止できると共に、押し潰された状態から元の筒状に戻すことが可能である。例えば、市販のストローを用いることができる。
【００１１】
袋３は気密性のプラスチックフィルムなどの可撓性素材から形成されたものであり、管２の下端側の部分が所定の長さだけ差し込まれた状態で、当該管に取り付けられている。管２が差し込まれている袋３の部分３ａは管２の外周面部分に気密状態で固定されている。したがって、管２の上端側の開口２ａから空気を吹き込むと、図１（ｂ）に示すように、袋３はほぼ円筒状に膨らむようになっている。また、膨らんだ状態において、管２の下端２ｂが袋の底面部分の近傍に位置するように、袋３に対する管２の差し込み長さが設定されている。
【００１２】
図２および図３は本例の酸化防止具１の使用方法を示す説明図である。まず、図２を参照して、ボトル内に残っているワインの酸化を防止するために、当該ボトルに酸化防止具を取り付ける手順を説明する。図２（ａ）に示すように、ワイン１１が残っているワインボトル１２の口１３から、袋３が萎んだ状態の酸化防止具１を差し込み、袋３が完全にボトル１２内に差し込まれた状態にする。次に、管２の上側の端部開口２ａから空気を吹き込み、袋３をボトル１２の内部で膨らませる。
【００１３】
袋３を適切な大きさに設定しておけば、膨張した袋３は、図２（ｂ）に示すように、残っているワイン１１の液面１１ａおよびボトル内周面１４に密着した状態になる。また、袋３が膨らむことにより、ボトル１２内の空気が外部に押し出される。この結果、ボトル１２内に残っているワイン１１は、実質的に空気から遮断された状態で封止される。
【００１４】
この後は、図２（ｃ）に示すように、管２の上端側の部分がボトルの口１３から所定長さだけ突出した状態で、当該管２の部分を挟み、ボトルの口１３にコルク栓１５を差し込む。この際に、袋３から空気が抜けないように、管２の上端開口部２ａに指などを当てて封鎖すればよい。この結果、コルク栓１５によってボトルの口１３が封鎖されると共に、管２の部分２ｃがコルク栓１５によって押し潰されて、管２を介しての空気の流通が阻止され、ボトル１２の内部において袋３が膨らんだ状態に保持される。このようにして、残っているワイン１１の酸化が防止される。
【００１５】
次に、図３を参照して、酸化防止具１をボトル１２から取り外す場合の操作を説明する。この場合には、図３（ａ）に示すように、まずコルク栓１５を引き抜く。次に、コルク栓１５によって押し潰されていた管２の部分を元の筒状となるように戻す。この結果、袋３から管２を介して空気の流通が可能になる。
【００１６】
この後は、図３（ｂ）に示すように、ボトル１２の口１３から出ている管２の上端部分を持ち、ボトル１２から引き抜く。管２の下側部分に取り付けられている袋３は、ボトル内において膨らんだ状態にあるが、内部の空気は管２を通って外部に逃げることが可能である。よって、管２を引上げると、袋３は、ボトルネック１６の部分によって押し潰されながら管２と一緒にボトル１２の内部から口１３を通って簡単に引き出すことができる。図３（ｃ）には袋３がボトル１２から完全に引き抜かれる手前の状態を示してある。
【００１７】
このように、本例の酸化防止具１は極めて簡単な構造であるが、ボトル１２内に残っているワインを実質的に空気に触れない封止状態にすることができる。よって、ワインの酸化を防止あるいは抑制することができる。また、酸化防止具１の取り付け、取り外しの作業は極めて簡単にできるという利点もある。特に、本例の酸化防止具１は、その下端側の部分が所定の長さだけ袋３に差し込まれているので、袋３をボトル１２の口１３からボトル内に挿入する作業が簡単であり、また、袋３の底部分を残っているワインの液面に密着させることが容易である。
【００１８】
なお、以上説明した例は、本発明をワインの酸化防止具として具体化した例であるが、ワイン以外の発酵アルコール飲料などの液体の酸化防止、炭酸飲料の炭酸成分の放出防止などのために、本発明の劣化防止具を適用できることは勿論である。
【図面の簡単な説明】
【００１９】
【図１】本発明を適用した酸化防止具を示す説明図および袋を膨張させた状態を示す説明図である。
【図２】図１の酸化防止具をワインボトルに取り付ける手順を示す説明図である。
【図３】図１の酸化防止具が取り付けられているワインボトルから当該酸化防止具を取り外す手順を示す説明図である。
【符号の説明】
【００２０】
１    酸化防止具
２    管
２ａ  上端開口部
２ｂ  下端
２ｃ  押し潰された部分
３    袋
１１  ワイン
１１ａ  液面
１２  ボトル
１３  口
１４  ボトル内周面
１５  コルク栓
１６  ボトルネック
【図１】
2006036277.tif 000003
【図２】
2006036277.tif 000004
【図３】
2006036277.tif 000005